(57)【特許請求の範囲】
【請求項１】
貫通孔を備えるケースと、
前記ケースの前記貫通孔に設けられ、外端部が前記ケースの外部に突出する筒状部材と、
前記筒状部材に挿入する軸部、および前記軸部の外端部に設けられて前記筒状部材の前記外端部を回転可能でかつスライド可能に覆う頭部を備える操作部材と、
前記筒状部材に対する前記頭部の回転位置を規制して回転方向をロックする回転規制部、および前記回転規制部によって回転位置が規制された前記頭部を前記筒状部材に対してその軸方向に係脱可能に係止してロックするロック部を備えるロック機構と、
を備え、
前記ロック機構の前記ロック部のロックを解除した後に、前記ロック機構の前記回転規制部のロックを解除することで、前記筒状部材に対する前記頭部のロックが解除されることを特徴とするスイッチ装置。
【請求項２】
請求項１に記載のスイッチ装置において、前記ロック機構の前記回転規制部は、前記筒状部材と前記頭部との一方に設けられた当接突起部と、前記筒状部材と前記頭部との他方に設けられ、前記当接突起部がその回転方向において挿脱可能に挿入して係合する規制溝部と、を備えていることを特徴とするスイッチ装置。
【請求項３】
請求項１または請求項２に記載のスイッチ装置において、前記ロック機構の前記ロック部は、前記筒状部材と前記頭部との一方に設けられた係止突起部と、前記筒状部材と前記頭部との他方に設けられ、前記係止突起部がその軸方向において係脱可能に係合する係合凹部と、を備えていることを特徴とするスイッチ装置。
【請求項４】
請求項３に記載のスイッチ装置において、前記ロック部の前記係止突起部は、前記回転規制部の当接突起部と規制溝部との一方に設けられ、前記係合凹部は、前記回転規制部の前記当接突起部と前記規制溝部との他方に設けられていることを特徴とするスイッチ装置。
【請求項５】
貫通孔を備えるケースと、
前記ケースの前記貫通孔に設けられ、外端部が前記ケースの外部に突出する筒状部材と、
前記筒状部材に挿入する軸部、および前記軸部の外端部に設けられて前記筒状部材の前記外端部を回転可能でかつスライド可能に覆う頭部を備える操作部材と、
前記筒状部材に対する前記頭部の回転位置を規制して回転方向をロックする回転規制部、および前記回転規制部によって回転位置が規制された前記頭部を前記筒状部材に対してその軸方向に係脱可能に係止してロックするロック部を備えるロック機構と、
を備え、
前記ロック機構の前記ロック部は、前記筒状部材と前記頭部との一方に設けられた係止突起部と、前記筒状部材と前記頭部との他方に設けられ、前記係止突起部がその軸方向において係脱可能に係合する係合凹部と、を備え、
前記ロック部の前記係止突起部は、前記回転規制部の当接突起部と規制溝部との一方に設けられ、前記係合凹部は、前記回転規制部の前記当接突起部と前記規制溝部との他方に設けられていることを特徴とするスイッチ装置。
【請求項６】
請求項３〜請求項５のいずれかに記載のスイッチ装置において、前記ロック機構は、前記ロック部の前記係止突起部と前記係合凹部との係合が解除された際に、前記頭部を前記筒状部材に対して係脱可能に係止する補助ロック部を備えていることを特徴とするスイッチ装置。
【請求項７】
貫通孔を備えるケースと、
前記ケースの前記貫通孔に設けられ、外端部が前記ケースの外部に突出する筒状部材と、
前記筒状部材に挿入する軸部、および前記軸部の外端部に設けられて前記筒状部材の前記外端部を回転可能でかつスライド可能に覆う頭部を備える操作部材と、
前記筒状部材に対する前記頭部の回転位置を規制して回転方向をロックする回転規制部、および前記回転規制部によって回転位置が規制された前記頭部を前記筒状部材に対してその軸方向に係脱可能に係止してロックするロック部を備えるロック機構と、
を備え、
前記ロック機構の前記ロック部は、前記筒状部材と前記頭部との一方に設けられた係止突起部と、前記筒状部材と前記頭部との他方に設けられ、前記係止突起部がその軸方向において係脱可能に係合する係合凹部と、を備え、
前記ロック機構は、前記ロック部の前記係止突起部と前記係合凹部との係合が解除された際に、前記頭部を前記筒状部材に対して係脱可能に係止する補助ロック部を備えていることを特徴とするスイッチ装置。
【請求項８】
請求項１〜請求項７のいずれかに記載のスイッチ装置において、前記頭部は、前記筒状部材の前記外端部の外周に回転可能でかつスライド可能に装着される内側頭部と、この内側頭部の外周に一体に装着されて前記内側頭部と共に回転する外側頭部と、を備えていることを特徴とするスイッチ装置。
【請求項９】
ケースの貫通孔に設けられて外部に突出する筒状部材と、
前記筒状部材に挿入された操作部材と、
前記筒状部材に対する前記操作部材の回転位置を規制して回転方向をロックする回転規制部、および前記回転規制部によって回転位置が規制された前記操作部材を前記筒状部材に対してその軸方向に係脱可能に係止してロックするロック部を備えるロック機構と、
を備え、
前記ロック機構の前記ロック部のロックを解除した後に、前記ロック機構の前記回転規制部のロックを解除することで、前記筒状部材に対する前記操作部材のロックが解除されることを特徴とするスイッチ装置。
【請求項１０】
ケースの貫通孔に設けられて外部に突出する筒状部材と、
前記筒状部材に挿入された操作部材と、
前記筒状部材に対する前記操作部材の回転位置を規制して回転方向をロックする回転規制部、および前記回転規制部によって回転位置が規制された前記操作部材を前記筒状部材に対してその軸方向に係脱可能に係止してロックするロック部を備えるロック機構と、
を備え、
前記ロック部が備える係止突起部は、前記回転規制部が備える当接突起部と規制溝部との一方に設けられ、前記ロック部が備える係合凹部は、前記回転規制部の前記当接突起部と前記規制溝部との他方に設けられていることを特徴とするスイッチ装置。
【請求項１１】
ケースの貫通孔に設けられて外部に突出する筒状部材と、
前記筒状部材に挿入された操作部材と、
前記筒状部材に対する前記操作部材の回転位置を規制して回転方向をロックする回転規制部、および前記回転規制部によって回転位置が規制された前記操作部材を前記筒状部材に対してその軸方向に係脱可能に係止してロックするロック部を備えるロック機構と、
を備え、
前記ロック機構は、前記操作部材を前記筒状部材に対して係脱可能に係止する補助ロック部を備えていることを特徴とするスイッチ装置。
【請求項１２】
請求項１〜請求項１１のいずれかに記載されたスイッチ装置を備えていることを特徴とする時計。
【発明の詳細な説明】
【技術分野】
【０００１】
この発明は、時計、携帯電話機、携帯端末機などの電子機器に用いられるスイッチ装置およびそれを備えた時計に関する。
【背景技術】
【０００２】
例えば、腕時計においては、特許文献１に記載されているように、腕時計ケースに竜頭などの操作部材が引き出し可能に設けられたスイッチ装置を備えたものが知られている。この種のスイッチ装置は、腕時計ケースから外部に突出した操作部材を引き出す方向に移動させ、この状態で操作部材を回転させることにより、時刻を修正するように構成されている。
【先行技術文献】
【特許文献】
【０００３】
【特許文献１】特開２００６−１９４８３４号公報
【０００４】
このようなスイッチ装置は、腕時計ケースの貫通孔に巻真パイプが取り付けられ、この巻真パイプ内に操作部材の軸部が挿入され、この操作部材の軸部の内端部に巻真の外端部が取り付けられ、この軸部の外端部に腕時計ケースの外部に突出する操作頭部が設けられた構成になっている。
【０００５】
また、このスイッチ装置は、時刻を修正しないときに、操作部材を押し込んだ状態でロックするロック部を備えている。このロック部は、操作頭部に取り付けられた複数の係合凸部を有するリング部材と、腕時計ケースの外部に突出した巻真パイプの外周部に設けられてリング部材の係合凸部を係脱可能に係止してロックする複数の係止溝部と、を備えている。
【０００６】
このようなスイッチ装置では、操作部材を回転させると、リング部材の係合凸部が回転して、複数の係止溝部に対する係合凸部のロックが解除され、この状態で操作部材を引き出す方向に移動させて回転操作させることにより、時刻を修正することができる。また、操作部材を押し込んで回転させると、リング部材の係合凸部が回転して複数の係止溝部に係止されることにより、操作部材が押し込まれた状態でロックされる。
【発明の概要】
【発明が解決しようとする課題】
【０００７】
しかしながら、このようなスイッチ装置においては、操作部材を押し込んでロックした状態で、操作部材の操作頭部が外部から衝撃を受けた際に、その衝撃によって操作頭部が簡単に回転し、この操作頭部の回転に伴ってリング部材の係合凸部が回転して、複数の係止溝部に対する係合凸部のロックが容易に解除されてしまうという問題がある。
【０００８】
この発明が解決しようとする課題は、衝撃などによって頭部のロックが不用意に解除されることがなく、かつ簡単な操作で容易に頭部のロックを解除することができるスイッチ装置およびそれを備えた時計を提供することである。
【課題を解決するための手段】
【０００９】
この発明は、貫通孔を備えるケースと、前記ケースの前記貫通孔に設けられ、外端部が前記ケースの外部に突出する筒状部材と、前記筒状部材に挿入する軸部、および前記軸部の外端部に設けられて前記筒状部材の前記外端部を回転可能でかつスライド可能に覆う頭部を備える操作部材と、前記筒状部材に対する前記頭部の回転位置を規制して回転方向をロックする回転規制部、および前記回転規制部によって回転位置が規制された前記頭部を前記筒状部材に対してその軸方向に係脱可能に係止してロックするロック部を備えるロック機構と、を備え、前記ロック機構の前記ロック部のロックを解除した後に、前記ロック機構の前記回転規制部のロックを解除することで、前記筒状部材に対する前記頭部のロックが解除されることを特徴とするスイッチ装置である。
【発明の効果】
【００１０】
この発明によれば、ロック機構の回転規制部とロック部とによって筒状部材に対する操作部材の頭部の回転を規制して頭部を確実にロックすることができるので、操作部材の頭部が衝撃を受けても、その衝撃などによって操作部材の頭部が回転して不用意に頭部のロックが解除されることがなく、また操作部材を押し込んで所定方向に回転させるだけの簡単な操作で、ロック機構によるロックを容易に解除することができる。
【図面の簡単な説明】
【００１１】
【図１】この発明を腕時計に適用した第１実施形態を示した拡大正面図である。
【図２】図１に示された腕時計のＡ−Ａ矢視における要部の拡大断面図である。
【図３】図２に示されたスイッチ装置を断面で示した要部の拡大斜視図である。
【図４】図３に示されたスイッチ装置の操作部材を断面で示した拡大斜視図である。
【図５】図３に示されたスイッチ装置のロック機構を示し、（ａ）はそのロック状態を示した拡大斜視図、（ｂ）はそれを右側から見たロック解除状態を示した拡大正面図、（ｃ）はロック機構のロック部を示した要部の拡大断面図である。
【図６】図５（ａ）に示されたロック機構の筒状部材を示した拡大斜視図である。
【図７】図５（ａ）に示されたロック機構の頭部における内側頭部を示した拡大断面図である。
【図８】図５（ｂ）に示されたロック機構の動作状態を示し、（ａ）はそのロック機構によるロック解除状態を示した拡大正面図、（ｂ）はロック機構によって頭部をロックする途中の状態を示した拡大正面図、（ｃ）はロック機構によるロック状態を示した拡大正面図である。
【発明を実施するための形態】
【００１２】
以下、図１〜図８を参照して、この発明を腕時計に適用した一実施形態について説明する。
この腕時計は、図１および図２に示すように、腕時計ケース１を備えている。この腕時計ケース１は、本体ケース２と第１外装ケース３と第２外装ケース４とによって構成されている。本体ケース２は、硬質の合成樹脂からなり、その内部に補強用の金属部材２ａが埋め込められた構成になっている。
【００１３】
第１外装ケース３は、図１および図２に示すように、軟質の合成樹脂からなり、本体ケース２の外周に、これを覆って取り付けられるように構成されている。第２外装ケース４は、軟質の合成樹脂からなり、本体ケース２の上部外周および第１外装ケース３の上部外周に、これらを覆って取り付けられるように構成されている。
【００１４】
腕時計ケース１の上部開口部、つまり本体ケース２の上部開口部には、図２に示すように、時計ガラス５がパッキン５ａを介して取り付けられている。この場合、時計ガラス５の上面における外周縁は、図１および図２に示すように、第２外装ケース４によって覆われている。また、この腕時計ケース１の下部、つまり本体ケース２の下部には、裏蓋６が防水リング６ａを介して取り付けられている。
【００１５】
この腕時計ケース１の内部、つまり本体ケース２の内部には、図２に示すように、時計モジュール７が押え部材８によって配置されている。時計モジュール７は、指針を駆動するための時計ムーブメントや、時刻などの情報を電気光学的に表示する表示パネルなど、時計機能に必要な各種の部品（いずれも図示せず）を備えている。押え部材８は、時計モジュール７と裏蓋６との間に配置されることにより、時計モジュール７を腕時計ケース１内に組み付けるように構成されている。
【００１６】
この場合、時計モジュール７と時計ガラス５との間には、図２に示すように、リング状の見切り部材１２が設けられている。この見切り部材１２は、その上面が外周側から内周側に向けて傾斜する傾斜面に形成され、この傾斜面に時字（図示せず）が円周方向に沿って等間隔で設けられた構成になっている。また、この見切り部材１２と時計モジュール７との間には、その上方を指針が運針する第１文字板１３と第２文字板１４とが上下に重なった状態で配置されている。
【００１７】
ところで、腕時計ケース１の１２時側と６時側との各側部には、図１に示すように、バンド取付部１５がそれぞれ外部に突出して設けられている。また、この腕時計ケース１の３時側の側部には、スイッチ装置１６が設けられており、この腕時計ケース１の２時側、４時側、８時側、および１０時側の各側部には、押釦スイッチ１７がそれぞれ設けられている。
【００１８】
スイッチ装置１６は、図２および図３に示すように、腕時計ケース１の本体ケース２に設けられた貫通孔１８に嵌め込まれた筒状部材２０と、この筒状部材２０にスライド可能に挿入されて本体ケース２の外部に突出する操作部材２１と、を備えている。この場合、貫通孔１８は、本体ケース２の内部側がほぼ四角形状の小径孔部１８ａに形成され、外部側が円形状の大径孔部１８ｂに形成され、この大径孔部１８ｂの外端部に座ぐり部１８ｃが形成された構成になっている。
【００１９】
筒状部材２０は、図２、図３、図５および図６に示すように、本体ケース２の貫通孔１８の小径孔部１８ａに挿入する小径筒部２０ａと、本体ケース２の貫通孔１８の大径孔部１８ｂに挿入する中径筒部２０ｂと、本体ケース２の外部に突出する大径筒部２０ｃと、を有し、これらが金属や硬質の合成樹脂で一体に形成されている。
【００２０】
この場合、小径筒部２０ａは、図２、図５および図６に示すように、その外形がほぼ四角形状に形成されている。これにより、小径筒部２０ａは、貫通孔１８のほぼ四角形状の小径孔部１８ａに挿入されることにより、本体ケース２に対して回転することなく取り付けられるように構成されている。この小径筒部２０ａは、その軸方向の長さが貫通孔１８の小径孔部１８ａの軸方向の長さよりも長く形成され、その内端部が本体ケース２内に突出するように構成されている。
【００２１】
また、この小径筒部２０ａは、図２および図６に示すように、本体ケース２内に突出する内端部にＥリングなどの抜止め部材２２が取り付けられるように構成されている。これにより、小径筒部２０ａは、抜止め部材２２が本体ケース２の内周面に当接することにより、筒状部材２０が本体ケース２の外部に抜け出さないように構成されている。
【００２２】
中径筒部２０ｂは、図２および図６に示すように、その外形が円形状に形成されている。この中径筒部２０ｂは、その軸方向の長さが貫通孔１８の大径孔部１８ｂの軸方向の長さと同じ長さに形成されている。これにより、中径筒部２０ｂは、貫通孔１８の大径孔部１８ｂ内に嵌着するように構成されている。また、この中径筒部２０ｂの外周面には、貫通孔１８の大径孔部１８ｂの内周面に圧接する複数の防水リング２３がそれぞれ環状に設けられている。
【００２３】
さらに、大径筒部２０ｃは、図２および図６に示すように、その外形が円形状に形成されている。この大径筒部２０ｃは、その外径が貫通孔１８の大径孔部１８ｂの内径よりも大きく、かつ貫通孔１８の座ぐり部１８ｃの内径よりも小さく形成されている。この大径筒部２０ｃの内端部、つまり中径筒部２０ｂとの境界部には、貫通孔１８の座ぐり部１８ｃに配置されるフランジ部２０ｄが設けられている。
【００２４】
この場合、筒状部材２０の内部には、図２および図６に示すように、小径孔部２０ｅと大径孔部２０ｆとが設けられている。小径孔部２０ｅは、本体ケース２内に突出する小径筒部２０ａ内に設けられている。大径孔部２０ｆは、小径孔部２０ｅを除いて、小径筒部２０ａから大径筒部２０ｃの外端部に亘って設けられている。
【００２５】
これにより、筒状部材２０は、図２および図６に示すように、中径筒部２０ｂが本体ケース２の貫通孔１８の大径孔部１８ｂに嵌着された状態で、小径筒部２０ａの内端部に取り付けられた抜止め部材２２が本体ケース２の内周面に当接し、かつ大径筒部２０ｃのフランジ部２０ｄが貫通孔１８の座ぐり部１８ｃに配置されることにより、本体ケース２の貫通孔１８内にその軸方向にガタツクことなく取り付けられるように構成されている。
【００２６】
一方、操作部材２１は、図２〜図４に示すように、本体ケース２の貫通孔１８に嵌め込まれた筒状部材２０にスライド可能に挿入される軸部２４と、この軸部２４の外端部に設けられた頭部２５と、を備えている。頭部２５は、外側頭部２５ａと内側頭部２５ｂとを備え、これら全体がほぼ円筒状に形成され、本体ケース２の外部に突出した筒状部材２０の大径筒部２０ｃの外周にスライド可能に配置されるように構成されている。
【００２７】
すなわち、この頭部２５は、図２〜図４に示すように、本体ケース２の外部に突出した筒状部材２０の大径筒部２０ｃの外周に、これを覆った状態で、円周方向に沿って回転可能でかつ軸方向に沿ってスライド可能に配置され、本体ケース２側に位置する頭部２５の内側端面が本体ケース２の外面に接離可能に接近するように構成されている。
【００２８】
軸部２４は、図２〜図４に示すように、円筒状に形成され、筒状部材２０の大径孔部２０ｆ内に、スライド可能で、かつ回転可能に挿入されている。この軸部２４の外端部には、頭部２５の外側頭部２５ａが一体に設けられている。すなわち、この軸部２４は、その外径が筒状部材２０の大径孔部２０ｆの内径とほぼ同じ大きさで、軸方向の長さが大径孔部２０ｆの軸方向の長さとほぼ同じ長さに形成されている。
【００２９】
この場合、軸部２４の外周には、図２〜図４に示すように、複数の防水リング２６が摺動可能に圧接している。これら複数の防水リング２６は、筒状部材２０の大径孔部２０ｆの内周面に環状に設けられ、軸部２４が筒状部材２０の大径孔部２０ｆに挿入された際に、軸部２４の外周面に圧接した状態で、軸部２４がスライド可能に摺動するように構成されている。
【００３０】
また、この軸部２４の内部には、図２〜図４に示すように、連結穴２７が軸部２４の軸方向に沿って設けられている。この連結穴２７は、本体ケース２の内部側に位置する個所に形成された断面ほぼ四角形の角孔部２７ａと、本体ケース２の外部側に位置する個所に形成されて角孔部２４ａに内接する断面円形の丸孔部２７ｂと、を備えている。この軸部２４の連結穴２７には、連動部材２８がスライド可能に配置されている。
【００３１】
この連動部材２８は、図２〜図４に示すように、その外径が軸部２４の連結穴２７における丸孔部２７ｂの内径よりも小さく、かつ筒状部材２０の小径孔部２０ｅの内径と同じ大きさの棒状に形成されている。また、この連動部材２８は、その軸方向の長さが連結穴２７の軸方向の長さよりも短く、かつ連結穴２７の角孔部２７ａの軸方向の長さよりも長く形成されている。
【００３２】
さらに、この連動部材２８の中間部には、図２〜図４に示すように、連結穴２７の角孔部２７ａ内にスライド可能に配置される四角形状の角板部２８ａが設けられている。これにより、連動部材２８は、角板部２８ａが軸部２４の連結穴２７の角孔部２７ａ内をスライドすると共に、操作部材２１の頭部２５の回転に伴って軸部２４が回転する際に、連結穴２７の角孔部２７ａに配置された角板部２８ａによって、軸部２４と共に回転するように構成されている。
【００３３】
この場合、連動部材２８は、図２〜図４に示すように、頭部２５側に位置する丸孔部２７ｂの奥端部（図２では右端部）と角板部２８ａとの間に配置されたコイルばね２９のばね力によって、本体ケース２内に向けて押し込まれる方向に付勢されている。また、この連動部材２８は、その角板部２８ａが軸部２４の連結穴２７の端部に設けられた当接部２７ｃに接離可能に当接することにより、本体ケース２の内部に抜け出さないように構成されている。
【００３４】
また、この連動部材２８には、図２〜図４に示すように、巻真３０が一体的に取り付けられている。この巻真３０は、その一端部３０ａが本体ケース２の内部側に位置する連動部材２８の端部に螺着され、本体ケース２の内部側に位置する他端部３０ｂが筒状部材２０の小径孔部２０ｅを通して本体ケース２内に挿入され、この挿入された他端部３０ｂが本体ケース２内に組み込まれた時計モジュール７内に差し込まれるように構成されている。
【００３５】
すなわち、この巻真３０は、図２〜図４に示すように、その他端部３０ｂが時計モジュール７内に差し込まれた状態で、操作部材２１の頭部２５の回転に伴って軸部２４が回転し、この軸部２４の回転によって連動部材２８の角板部２８ａが連結穴２７の角孔部２７ａと共に回転した際に、連動部材２８が回転し、この連動部材２８と共に一体的に回転するように構成されている。
【００３６】
また、この巻真３０は、図２〜図４に示すように、その他端部３０ｂが時計モジュール７内に差し込まれた状態で、頭部２５が押し込まれる際に、連動部材２８の角板部２８ａがコイルばね２９のばね力によって本体ケース２の内部側に向けて付勢されて、連動部材２８の角板部２８ａが軸部２４の連結穴２７の角孔部２８ａ内を相対的に移動して当接部２７ｃに当接することにより、ニュートラル状態を維持するように構成されている。
【００３７】
この場合、巻真３０は、図２に示すように、連動部材２８の角板部２８ａが軸部２４の連結穴２７の当接部２７ｃに当接した状態で、操作部材２１の軸部２４が本体ケース２の内部に向けて押し込まれてスライドする際に、連動部材２８の角板部２８ａが軸部２４の連結穴２７の角孔部２７ａ内を相対的に移動することにより、連動部材２８が軸部２４と共にスライドせず、連動部材２８と共に同じ状態（ニュートラル状態）を維持するように構成されている。
【００３８】
また、この巻真３０は、図２に示すように、連動部材２８の角板部２８ａが軸部２４の連結穴２７の端部に設けられた当接部２７ｃに当接した状態で、操作部材２１の頭部２５が本体ケース２の外部に向けて引き出される際に、軸部２４の連結穴２７の当接部２７ｃが連動部材２８の角板部２８ａを本体ケース２の外部に向けて引き出すことにより、この連動部材２８と共にスライドして、時計モジュール７の時計ムーブメントを操作可能な状態にするように構成されている。
【００３９】
さらに、この巻真３０は、図２に示す状態で、操作部材２１の頭部２５が本体ケース２の外部に向けて引き出されて、時計モジュール７の時計ムーブメントを操作可能な状態で、操作部材２１の頭部２５を回転させた際に、その頭部２５の回転に伴って回転して、時計モジュール７の時計ムーブメントを操作することにより、指針によって指示される時刻などを修正するように構成されている。
【００４０】
ところで、このようなスイッチ装置１６は、図２〜図８に示すように、操作部材２１の頭部２５が押し込まれて本体ケース２の外面に接近した状態で、連動部材２８の角板部２８ａが軸部２４の連結穴２７の端部に設けられた当接部２７ｃに当接したニュートラル状態のときに、操作部材２１を筒状部材２０に対してロックするロック機構３１を備えている。
【００４１】
このロック機構３１は、図２〜図５、図８に示すように、筒状部材２０に対する頭部２５の回転位置を規制する回転規制部３２と、この回転規制部３２によって回転位置が規制された頭部２５を筒状部材２０に対してその軸方向に係脱可能に係止してロックするロック部３３と、を備えている。
【００４２】
この場合、頭部２５は、図２〜図４に示すように、外側頭部２５ａと内側頭部２５ｂとを備えている。外側頭部２５ａは、頭部本体４５と、外装部４６と、蓋部４７とを備え、頭部本体４５内に軸部２４が一体に形成された構成になっている。この外側頭部２５ａは、その外装部４６の外径が筒状部材２０のフランジ部２０ｄの外径よりも大きく、かつ本体ケース２の上下方向の長さよりも短く形成されている。
【００４３】
また、この外側頭部２５ａは、図２〜図４に示すように、その頭部本体４５の内径が筒状部材２０の大径筒部２０ｃの外径よりも大きく、フランジ部２０ｄの外径よりも少し小さく形成されている。さらに、この外側頭部２５ａは、その軸方向の長さが筒状部材２０の大径筒部２０ｃの軸方向の長さよりも長く形成され、かつ内周部の軸方向の長さが筒状部材２０の大径筒部２０ｃの軸方向の長さとほぼ同じ長さに形成されている。
【００４４】
内側頭部２５ｂは、図２〜図４、および図７に示すように、リング部３４と複数の保持片３５とを備え、外側頭部２５ａの頭部本体４５内に装着されるように構成されている。すなわち、この内側頭部２５ｂは、リング部３４と複数の保持片３５との軸方向における全体の長さが、筒状部材２０の大径筒部２０ｃの軸方向の長さよりも短く形成されている。
【００４５】
この場合、リング部３４は、図２〜図４に示すように、その外径が外側頭部２５ａの内径とほぼ同じ大きさで、内径が筒状部材２０の大径筒部２０ｃの外径とほぼ同じ大きさで形成されている。複数の保持片３５は、本体ケース２の外部側に位置するリング部３４の外端部に、その円周方向に沿って１２０度の間隔で本体ケース２の外部側に向けて突出した状態で設けられている。
【００４６】
これら複数の保持片３５は、リング部３４と同様、その外径が外側頭部２５ａの内径とほぼ同じ大きさで、内径が筒状部材２０の大径筒部２０ｃの外径とほぼ同じ大きさで形成されている。この場合、頭部２５は、図２および図３に示すように、内側頭部２５ｂが外側頭部２５ａの頭部本体４５内に嵌め込まれた際に、内側頭部２５ｂの外端部、つまり複数の保持片３５の外端部と外側頭部２５ａの内部における本体ケース２の外部側に位置する内端部との間に隙間が設けられるように構成されている。
【００４７】
これにより、この頭部２５は、図２〜図４に示すように、内側頭部２５ｂが外側頭部２５ａ内に嵌め込まれて、リング部３４と複数の保持片３５とが外側頭部２５ａの内周面に圧着した状態で、溶着またはロー付けによって外側頭部２５ａ内に固着されていることにより、外側頭部２５ａと内側頭部２５ｂとが一体に回転するように構成されている。
【００４８】
ロック機構３１の回転規制部３２は、図５〜図８に示すように、筒状部材２０の外周面における外端部側に設けられた当接突起部である複数のカム突起部３６と、頭部２５の内側頭部２５ｂにおける複数の保持片３５の内周面に設けられて、筒状部材２０に対する頭部２５の回転位置を規制する複数の規制溝部３７と、を備えている。
【００４９】
複数のカム突起部３６は、図５、図６および図８に示すように、筒状部材２０の外周面に、その円周方向に沿って１２０度の間隔で設けられている。すなわち、これら複数のカム突起部３６は、筒状部材２０の外周面から外周側に突出し、この突出した先端部が円弧状に形成され、その円周方向における両側が緩やかに傾斜する湾曲面に形成された突起状に構成されている。
【００５０】
複数の規制溝部３７は、図５、図７および図８に示すように、頭部２５の内側頭部２５ｂにおける複数の保持片３５の内周面にその円周方向に沿って設けられて、カム突起部３６が相対的な回転移動によって挿脱可能に挿入する溝部３７ａと、この溝部３７ａ内における反時計回り方向に位置する端部に設けられて、カム突起部３６の反時計回り方向に位置する端部が相対的に接離可能に当接する規制部３７ｂと、を備えている。
【００５１】
この場合、溝部３７ａは、図５および図７に示すように、連動部材２８の角板部２８ａが軸部２４の連結穴２７の当接部２７ｃに当接したニュートラル状態で、頭部２５が反時計回り方向に回転された際に、その回転に伴って回転し、カム突起部３６が相対的に回転移動して挿入されるように構成されている。規制部３７ｂは、頭部２５が反時計回り方向に回転してカム突起部３６が相対的に溝部３７ａに挿入された際に、カム突起部３６の端部が接離可能に当接して回転位置を規制するように構成されている。
【００５２】
これにより、回転規制部３２は、図５および図７に示すように、操作部材２１の連動部材２８および巻真３０がニュートラル状態で、頭部２５が反時計回り方向に回転した際に、カム突起部３６が相対的に回転移動して規制溝部３７の溝部３７ａに挿入し、この挿入したカム突起部３６の反時計回り方向に位置する端部が規制溝部３７の規制部３７ｂに当接して頭部２５の回転位置を規制することにより、頭部２５の反時計回り方向の回転を規制するように構成されている。
【００５３】
また、この回転規制部３２は、図５および図７に示すように、頭部２５の回転位置が規制された状態で、頭部２５を時計回り方向に回転させた際に、カム突起部３６が規制溝部３７の溝部３７ａ内を相対的に回転移動して、溝部３７ａ内からカム突起部３６が相対的に離脱するように構成されている。この場合、この回転規制部３２は、カム突起部３６が規制溝部３７の規制部３７ｂに当接して頭部２５の回転位置が規制された際に、頭部２５の軸方向に移動可能な状態になるように構成されている。
【００５４】
一方、ロック機構３１のロック部３３は、図５〜図８に示すように、回転規制部３２の規制溝部３７内に設けられた係止突起部３８と、回転規制部３２のカム突起部３６に設けられ、係止突起部３８がその軸方向において係脱可能に係合する係合凹部３９と、を備えている。すなわち、係止突起部３８は、図５（ｃ）および図７に示すように、本体ケース２側に位置する規制溝部３７内における溝壁３７ｃに、操作部材２１の軸方向における規制溝部３７の内部、つまり本体ケース２の外部側に向けて山形状に突出した状態で設けられている。
【００５５】
係合凹部３９は、図５（ｃ）および図８に示すように、筒状部材２０の回転規制部３２のカム突起部３６における本体ケース２側に位置する内側端面３６ａ、つまり係止突起部３８が設けられた規制溝部３７の溝壁３７ｃに対向するカム突起部３６の内側端面３６ａに、筒状部材２０の軸方向つまり本体ケース２の外部側に向けて窪んで設けられ、係止突起部３８がその軸方向において係脱可能に係合するように構成されている。
【００５６】
これにより、ロック部３３は、図５および図８に示すように、操作部材２１の連動部材２８および巻真３０がニュートラル状態で、頭部２５が回転規制部３２によって回転位置が規制された際に、係止突起部３８が係合凹部３９に係合することにより、カム突起部３６に内側頭部２５ｂをロックして、筒状部材２０に対する頭部２５の回転を規制するように構成されている。
【００５７】
また、このロック部３３は、図５および図８に示すように、係止突起部３８が係合凹部３９に係合することにより、内側頭部２５ｂを筒状部材２０に対してロックした状態で、頭部２５が軸方向に沿って押し込まれた際に、頭部２５の内側頭部２５ｂが外側頭部２５ａと共に移動し、係合凹部３９が係止突起部３８から離れて、係止突起部３８に対する係合凹部３９の係合が解除されることにより、カム突起部３６に対する内側頭部２５ｂのロックが解除されるように構成されている。
【００５８】
ところで、このロック機構３１は、図５〜図７に示すように、ロック部３３の係止突起部３８と係合凹部３９との係合が解除された際に、頭部２５を筒状部材２０に対して係脱可能に係止する補助ロック部４０を備えている。この補助ロック部４０は、筒状部材２０のフランジ部２０ｄに設けられた係止溝４１と、内側頭部２５ｂの端部に設けられて係止溝４１にその軸方向において係脱可能に係合する係合部４２と、を備えている。
【００５９】
すなわち、係止溝４１は、図５（ａ）および図６に示すように、本体ケース２の外側部側に位置するフランジ部２０ｄの外端面に、カム突起部３６に設けられた係合凹部３９に対向して設けられている。係合部４２は、図７に示すように、本体ケース２側に位置する内側頭部２５ｂの内側端面に、規制溝部３７内に設けられた係止突起部３８に対向して設けられている。
【００６０】
これにより、補助ロック部４０は、図６および図７に示すように、操作部材２１の連動部材２８および巻真３０がニュートラル状態で、頭部２５が回転規制部３２とロック部３３とによって筒状部材２０に対してロックされている状態のときに、係合部４２が係止溝４１に対応した状態で係止溝４１から離脱して軸方向に離れるように構成されている。
【００６１】
また、この補助ロック部４０は、図６および図７に示すように、係合部４２が係止溝４１から軸方向に離れた状態で、頭部２５が軸方向に沿って押し込まれて、ロック部３３の係止突起部３８に対する係合凹部３９の係合が解除された際に、係合部４２が係止溝４１に係合して、筒状部材２０に対する頭部２５の回転を規制するように構成されている。
【００６２】
さらに、この補助ロック部４０は、図６および図７に示すように、係合部４２が係止溝４１に係合した状態で、頭部２５を係合部４２と係止溝４１との係合力に抗して時計回り方向に回転させると、係合部４２が係止溝４１から離脱することにより、筒状部材２０に対して頭部２５が時計回り方向に回転して、カム突起部３６を規制溝部３７の溝部３７ａから相対的に離脱させ、この状態で頭部２５がコイルばね２９のばね力によって本体ケース２の外部に向けて押し出されるように構成される。
【００６３】
次に、このような腕時計におけるスイッチ装置１６の作用について説明する。
このスイッチ装置１６は、通常の状態のときに、図２に示すように、操作部材２１の頭部２５が本体ケース２側に向けて押し込まれてロック機構３１によってロックされている。すなわち、頭部２５が押し込まれて本体ケース２の外面に接近し、この状態で連動部材２８の角板部２８ａが軸部２４の連結穴２７の当接部２７ｃに当接して、連動部材２８および巻真３０がニュートラル状態のときに、操作部材２１の頭部２５が筒状部材２０に対してロックされている。
【００６４】
このときには、図８（ｃ）に示すように、ロック機構３１の回転規制部３２における頭部２５のカム突起部３６が規制溝部３７の溝部３７ａに挿入されて、カム突起部３６の端部が規制溝部３７の規制部３７ｂに当接して、頭部２５の反時計回り方向の回転が規制されている。また、このときには、図８（ｃ）に示すように、ロック部３３の係止突起部３８が係合凹部３９に係合して、カム突起部３６に内側頭部２５ｂがロックされることにより、筒状部材２０に対する頭部２５の時計回り方向の回転が規制されている。
【００６５】
このため、このスイッチ装置１６では、ロック機構３１の回転規制部３２によって筒状部材２０に対する操作部材２１の頭部２５の反時計回り方向の回転が規制され、ロック部３３によって操作部材２１の頭部２５の時計回り方向の回転がロックされていることにより、操作部材２１の頭部２５が外部から衝撃を受けても、その衝撃などによって頭部２５が回転することがない。
【００６６】
すなわち、頭部２５にこれを回転させる衝撃が加わった際には、ロック機構３１の回転規制部３２とロック部３３とによって頭部２５の回転が規制される。また、頭部２５にこれを押し込む衝撃が加わった際には、頭部２５が軸方向に押し込まれてスライドしても、補助ロック部４０によって頭部２５の回転が規制される。
【００６７】
すなわち、頭部２５が押し込まれた際には、内側頭部２５ｂの端部に設けられたロック部４０の係合部４２がフランジ部２０ｄの係止溝４１に係合することにより、頭部２５の回転が規制される。このため、筒状部材２０に対する頭部２５のロックが不用意に解除されることがないので、衝撃による時計モジュール７の時計ムーブメントの誤動作を防ぐことができる。
【００６８】
また、このスイッチ装置１６で時刻修正をする場合には、まず、図８（ａ）に示すように、ロック機構３１による頭部２５のロックを解除する。このときには、図８（ｃ）の状態で操作部材２１の頭部２５を本体ケース２側に向けて押し込んで時計回り方向に回転させる。すなわち、頭部２５が本体ケース２側に向けて押し込まれると、頭部２５の内側頭部２５ｂが外側頭部２５ａと共に移動し、ロック部３３の係合凹部３９が係止突起部３８から離れて、係止突起部３８に対する係合凹部３９の係合が解除される。
【００６９】
このときには、回転規制部３２のカム突起部３６が規制溝部３７の規制部３７ｂに当接しているため、頭部２５が反時計回り方向に回転することがない。また、このように、ロック部３３の係止突起部３８に対する係合凹部３９の係合が解除されると、補助ロック部４０の係合部４２が係止溝４１に係合して、筒状部材２０に対する頭部２５の回転を規制する。この状態で、係止溝４１と係合部４２との係合力に抗して頭部２５を時計回り方向に回転させると、係合部４２が係止溝４１から離脱する。
【００７０】
このため、頭部２５が筒状部材２０に対して時計回り方向に回転するので、図８（ｂ）に示すように、回転規制部３２のカム突起部３６が規制溝部３７の溝部３７ａ内を相対的に回転移動して、図８（ａ）に示すように、規制溝部３７の溝部３７ａ内から円周方向に離脱する。このときには、頭部２５がコイルばね２９のばね力によって本体ケース２の外部に向けて押し出される。これにより、筒状部材２０に対する頭部２５のロックが解除され、操作部材２１の頭部２５が引き出し可能な状態になる。
【００７１】
この状態では、連動部材２８の角板部２８ａが軸部２４の連結穴２７の当接部２７ｃに当接したニュートラル状態であるから、頭部２５を回転させると、これに伴って軸部２４が回転して連結部材２８を回転させ、この回転によって巻真３０を回転させる。このときには、巻真３０が回転しても、巻真３０が空転するだけで、巻真３０の回転操作によって時計モジュール７は操作されず、時計ムーブメント７の時計ムーブメントの時刻修正は行われない。
【００７２】
この状態で、操作部材２１の頭部２５を本体ケース２の外部に向けて引き出すと、これに伴って軸部２４が本体ケース２の外部に向けてスライドする。これにより、軸部２４の連結穴２７の当接部２７ｃが連動部材２８の角板部２８ａを本体ケース２の外部に向けて引き出す。すると、この連動部材２８と共に巻真３０が本体ケース２の外部に向けてスライドして、時計モジュール７の時計ムーブメントが操作可能な状態になる。
【００７３】
この状態で、操作部材２１の頭部２５を回転させると、この頭部２５の回転に伴って軸部２４が連動部材２８を回転させる。これにより、巻真３０が連動部材２８と共に回転するので、この巻真３０によって時計モジュール７の時計ムーブメントが操作され、指針が運針して、この指針によって指示される時刻が修正される。
【００７４】
ところで、操作部材２１の頭部２５をロックする場合には、まず、操作部材２１の頭部２５を本体ケース２側に向けて押し込んで本体ケース２の外面に接近させる。すると、連動部材２８の角板部２８ａがコイルばね２９のばね力によって軸部２４の連結穴２７の端部に設けられた当接部２７ｃに当接した状態で、頭部２５と共に、連結部材２８と巻真３０とが押し込まれてニュートラル状態になる。
【００７５】
この状態で、頭部２５をロックする際には、頭部２５を反時計回りに回転させる。このときには、ロック機構３１の補助ロック部４０における頭部２５の内側頭部２５ｂの内端部に設けられた係合部４２が筒状部材２０のフランジ部２０ｄの外端面に当接している。このため、頭部２５が回転すると、その回転に伴って内側頭部２５ｂの係合部４２が筒状部材２０のフランジ部２０ｄの外端面に当接して回転移動して、頭部２５のカム突起部３６が規制溝部３７の溝部３７ａに挿入される。
【００７６】
そして、頭部２５のカム突起部３６が規制溝部３７の溝部３７ａに挿入されて、カム突起部３６の端部が規制溝部３７の規制部３７ｂに当接すると、補助ロック部４０における内側頭部２５ｂの係合部４２が筒状部材２０のフランジ部２０ｄの係止溝４１に係合する。このときに、頭部２５から指を離すと、コイルばね２０のばね力によって頭部２５が本体ケース２の外部側に向けて押し出される。
【００７７】
これにより、図５（ｃ）および図８（ｃ）に示すように、頭部２５のカム突起部３６が規制溝部３７の溝部３７ａに挿入されて、カム突起部３６の端部が規制溝部３７の規制部３７ｂに当接した状態で、頭部２５が押し出される方向に移動する。これに伴って、ロック部３３の係合凹部３９が頭部２５と共に移動して、この係合凹部３９がロック部３３の係止突起部３８に係合して、筒状部材２０に頭部２５がロックされる。
【００７８】
このように、この腕時計のスイッチ装置１６によれば、本体ケース２の貫通孔１８に設けられ、外端部が本体ケース２の外部に突出する筒状部材２０と、この筒状部材２０に挿入する軸部２４、およびこの軸部２４の外端部に設けられて筒状部材２０の外端部を回転可能でかつスライド可能に覆う頭部２５を有する操作部材２１と、筒状部材２０に対する頭部２５の回転位置を規制する回転規制部３２、およびこの回転規制部３２によって回転位置が規制された頭部２５を筒状部材２０に対してその軸方向に係脱可能に係止してロックするロック部３３を有するロック機構３１と、を備えているので、衝撃などによって頭部２５のロックが不用意に解除されることがなく、かつ簡単な操作で容易に頭部２５のロックを解除することができる。
【００７９】
すなわち、この腕時計のスイッチ装置１６では、ロック機構３１の回転規制部３２とロック部３３とによって筒状部材２０に対する操作部材２１の頭部２５の回転を規制して、筒状部材２０に対して頭部２５を確実にロックすることができるので、操作部材２１の頭部２５が外部から衝撃を受けても、その衝撃などによって頭部２５が不用意に回転して頭部２５のロックが解除されることがなく、また頭部２５を押し込んで所定方向に回転させるだけの簡単な操作で、ロック機構３１によるロックを容易に解除することができる。
【００８０】
この場合、ロック機構３１の回転規制部３２は、筒状部材２０の外周部に設けられた当接突起部であるカム突起部３６と、頭部２５の内周部に設けられて、カム突起部３６がその回転方向において係脱可能に係合する規制溝部３７と、を備えていることにより、頭部２５を回転させて規制溝部３７にカム突起部３６を挿脱可能に相対的に挿入させることができ、これによりカム突起部３６を規制溝部３７で位置規制することができるので、筒状部材２０に対する頭部２５の回転位置を確実に規制することができる。
【００８１】
この場合、回転規制部３２の規制溝部３７は、頭部２５の内側頭部２５ｂにおける複数の保持片３５の内周面にその円周方向に沿って設けられて、カム突起部３６が相対的な回転移動によって挿脱可能に挿入する溝部３７ａと、この溝部３７ａ内における反時計回り方向に位置する端部に設けられて、カム突起部３６の回転方向に位置する端部が相対的に接離可能に当接する規制部３７ｂと、を備えているので、頭部２５の反時計回り方向の回転位置を確実に規制することができる。
【００８２】
すなわち、回転規制部３２の規制溝部３７は、カム突起部３６が相対的に反時計回り方向に回転移動した際に、カム突起部３６を相対的に溝部３７ａに挿入させることができ、この挿入されたカム突起部３６の反時計回り方向に位置する端部を、溝部３７ａ内における反時計回り方向に位置する端部に設けられ規制部３７ｂに当接させることができ、これにより頭部２５の回転位置を規制することができるので、頭部２５の反時計回り方向の回転を確実にかつ良好に規制することができる。
【００８３】
また、この回転規制部３２の規制溝部３７は、頭部２５の回転位置が規制された状態で、頭部２５を時計回り方向に回転させた際に、カム突起部３６を溝部３７ａ内で相対的に回転移動させることができるので、カム突起部３６を相対的に溝部３７ａ内から円滑にかつ良好に離脱させることができ、これにより溝部３７ａと規制部３７ｂとによる頭部２５の位置規制を簡単にかつ容易に解除することができる。
【００８４】
また、このロック機構３１のロック部３３は、頭部２５の規制溝部３７内における本体ケース２の外部側に位置する溝壁３７ｃに設けられた係止突起部３８と、筒状部材２０のカム突起部３６における本体ケース２側に位置する内側端面３６ａに設けられて、係止突起部３８がその軸方向において係脱可能に係合する係合凹部３９と、を備えていることにより、係止突起部３８を係合凹部３９に係合させて、筒状部材２０に対する頭部２５の回転を確実に規制することができる。
【００８５】
すなわち、このロック部３３は、頭部２５が回転規制部３２によって回転位置が規制された状態で、係止突起部３８を係合凹部３９に係合させることができるので、規制溝部３７内に位置するカム突起部３６に対する頭部２５の回転を確実に規制することができ、これにより頭部２５を筒状部材２０に対して確実にかつ良好にロックすることができる。
【００８６】
また、このロック部３３は、頭部２５が筒状部材２０に対してロックされた状態で、頭部２５が軸方向に沿って押し込まれると、頭部２５と共に係合凹部３９を本体ケース２側に向けて移動させることができるので、この係合凹部３９の軸方向への移動によって係合凹部３９を係止突起部３８から離脱させることができ、これにより係止突起部３８に対する係合凹部３９の係合を簡単に解除することができるので、カム突起部３６に対する頭部２５のロックを容易に解除することができる。
【００８７】
この場合、回転規制部３２は、カム突起部３６が規制溝部３７の規制部３７ｂに当接して、頭部２５の回転位置が規制された際に、頭部２５の軸方向に移動可能な状態になるように構成されているので、係止突起部３８が係合凹部３９に係合した状態で、頭部２５を軸方向に沿って押し込むことができ、これにより係止突起部３８に対する係合凹部３９の係合を簡単にかつ容易に解除することができる。
【００８８】
さらに、このロック機構３１は、ロック部３３の係止突起部３８と係合凹部３９との係合が解除された際に、頭部２５を筒状部材２０に対して係脱可能に係止する補助ロック部４０を備えていることにより、係止突起部３８と係合凹部３９との係合が解除された際に、補助ロック部４０によって頭部２５が不用意に回転するのを防ぐことができるので、頭部２５が外部から衝撃を受けて、係止突起部３８と係合凹部３９との係合が解除されても、補助ロック部４０によって頭部２５の回転を防ぐことができる。
【００８９】
この場合、補助ロック部４０は、本体ケース２の外側部側に位置する筒状部材２０のフランジ部２０ｄの外端面に、カム突起部３６に設けられた係合凹部３９に対向して設けられた係止溝４１と、本体ケース２側に位置する頭部２５の内側端面に、規制溝部３７内に設けられた係合凹部３９に対向して設けられて係止溝４１にその軸方向において係脱可能に係合する係合部４２と、を備えているので、係止溝４１に係合部４２を係脱可能に係合させることができる。
【００９０】
すなわち、この補助ロック部４０は、頭部２５が回転規制部３２とロック部３３とによって筒状部材２０に対してロックされている状態のときに、係合部４２を係止溝４１に対応させた状態で係止溝４１から軸方向に離脱させることができ、またこの状態で、頭部２５が軸方向に沿って押し込まれて、ロック部３３の係止突起部３８に対する係合凹部３９の係合が解除された際に、係合部４を係止溝４１に係合させることができる。
【００９１】
これにより、この補助ロック部４０は、頭部２５が軸方向に沿って押し込まれて、ロック部３３の係止突起部３８に対する係合凹部３９の係合が解除された際に、係合部４２が係止溝４１に係合されているので、筒状部材２０に対する頭部２５の回転を確実にかつ良好に規制することができ、これによりロック部３３による頭部２５のロックが解除されても、頭部２５の回転を規制することができる。
【００９２】
さらに、この補助ロック部４０は、係合部４２が係止溝４１に係合した状態で、その係合力に抗して頭部２５を所定方向つまり時計回り方向に回転させると、係合部４２を係止溝４１から離脱させることができ、これにより筒状部材２０に対して頭部２５を時計回り方向に回転させて、カム突起部３６を規制溝部３７の溝部３７ａから相対的に離脱させることができるので、頭部２５をコイルばね２９のばね力によって本体ケース２の外部に向けて確実にかつ良好に押し出すことができる。
【００９３】
また、このスイッチ装置１６では、操作部材２１の頭部２５が、筒状部材２０の外端部の外周に回転可能でかつスライド可能に装着される内側頭部２５ｂと、この内側頭部２５ｂの外周に一体に装着されて内側頭部２５ｂと共に回転する外側頭部２５ａと、を備えていることにより、外側頭部２５ａと内側頭部２５ｂとを別々に製作することができる。
【００９４】
このため、この操作部材２１は、頭部２５に軸部２４が設けられるほかに、回転規制部３２の規制溝部３７およびロック部３３の係合突起部３８を設ける構成であっても、外側頭部２５ａと内側頭部２５ｂとを別々に製作することができるので、回転規制部３２の規制溝部３７およびロック部３３の係合突起部３８を内側頭部２５ｂのみに設けることができ、これにより頭部２５の構造が複雑であっても、容易に製作することができる。
【００９５】
この場合、外側頭部２５ａは、頭部本体４５と外装部４６と蓋部４７とを備え、頭部本体４５内に軸部２４が一体に形成された構成であることにより、外側頭部２５ａが軸部２４を備えた構成であっても、外側頭部２５ａを頭部本体４５と外装部４６と蓋部４７との３つの部品に分割して製作することができるので、これによっても外側頭部２５ａを容易に製作することができる。
【００９６】
なお、上述した実施形態では、回転規制部３２の当接突起部であるカム突起部３６を筒状部材２０の外周部に設け、規制溝部３７を頭部２５の内周部に設けた場合について述べたが、この発明はこれに限らず、例えば、カム突起部３６を頭部２５の内周部に設け、規制溝部３７を筒状部材２０の外周部に設けた構成であっても良い。
【００９７】
また、上述した実施形態では、ロック部３３の係止突起部３８を回転規制部３２の規制溝部３７内の溝壁３７ｃに設け、係合凹部３９を回転規制部３２のカム突起部３６に設けた場合について述べたが、この発明はこれに限らず、例えば、係止突起部３８を回転規制部３２のカム突起部３６に設け、係合凹部３９を回転規制部３２の規制溝部３７内の溝壁３７ｃに設けた構成であっても良い。
【００９８】
また、上述した実施形態では、ロック部３３の係止突起部３８を回転規制部３２の規制溝部３７内の溝壁３７ｃに設け、係合凹部３９を回転規制部３２のカム突起部３６に設けた場合について述べたが、この発明はこれに限らず、係止突起部３８を筒状部材２０に設け、係合凹部３９を頭部２５に設けた構成であって良い。
【００９９】
さらに、上述した実施形態では、補助ロック部４０が、筒状部材２０のフランジ部２０ｄに設けられた係止溝４１と、頭部２５の内側端面に設けられた係合部４２と、を備えている場合について述べたが、この発明はこれに限らず、補助ロック部４０の係止溝４１を頭部２５の内側端面に設け、係合部４２を筒状部材２０のフランジ部２０ｄに設けた構成であっても良い。
【０１００】
また、上述した実施形態では、操作部材２１の頭部２５が外側頭部２５ａと内側頭部２５ｂとで構成されている場合について述べたが、この発明はこれに限らず、外側頭部２５ａと内側頭部２５ｂとを一体に形成した構成であっても良い。この場合、外側頭部２５ａを頭部本体４５と外装部４６と蓋部４７との３つの部品に分割したが、この発明はこれに限らず、頭部本体４５と外装部４６と蓋部４７とを一体に形成した構成であっても良い。
【０１０１】
なおまた、上述した実施形態およびその各変形例では、腕時計に適用した場合について述べたが、必ずしも腕時計である必要はなく、例えばトラベルウオッチ、目覚まし時計、置き時計、掛け時計などの各種の時計に適用することができる。また、この発明は、必ずしも時計である必要はなく、携帯電話機や携帯情報端末機などの電子機器にも広く適用することができる。
【０１０２】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【０１０３】
（付記）
請求項１に記載の発明は、貫通孔を備えるケースと、前記ケースの前記貫通孔に設けられ、外端部が前記ケースの外部に突出する筒状部材と、前記筒状部材に挿入する軸部、および前記軸部の外端部に設けられて前記筒状部材の前記外端部を回転可能でかつスライド可能に覆う頭部を備える操作部材と、前記筒状部材に対する前記頭部の回転位置を規制して回転方向をロックする回転規制部、および前記回転規制部によって回転位置が規制された前記頭部を前記筒状部材に対してその軸方向に係脱可能に係止してロックするロック部を備えるロック機構と、を備えていることを特徴とするスイッチ装置である。
【０１０４】
請求項２に記載の発明は、請求項１に記載のスイッチ装置において、前記ロック機構の前記ロック部のロックを解除した後に、前記ロック機構の前記回転規制部のロックを解除することで、前記筒状部材に対する前記頭部のロックが解除されることを特徴とするスイッチ装置である。
【０１０５】
請求項３に記載の発明は、請求項１または請求項２に記載のスイッチ装置において、前記ロック機構の前記回転規制部は、前記筒状部材と前記頭部との一方に設けられた当接突起部と、前記筒状部材と前記頭部との他方に設けられ、前記当接突起部がその回転方向において挿脱可能に挿入して係合する規制溝部と、を備えていることを特徴とするスイッチ装置である。
【０１０６】
請求項４に記載の発明は、請求項１〜請求項３のいずれかに記載のスイッチ装置において、前記ロック機構の前記ロック部は、前記筒状部材と前記頭部との一方に設けられた係止突起部と、前記筒状部材と前記頭部との他方に設けられ、前記係止突起部がその軸方向において係脱可能に係合する係合凹部と、を備えていることを特徴とするスイッチ装置である。
【０１０７】
請求項５に記載の発明は、請求項４に記載のスイッチ装置において、前記ロック部の前記係止突起部は、前記回転規制部の前記当接突起部と前記規制溝部との一方に設けられ、前記係合凹部は、前記回転規制部の前記当接突起部と前記規制溝部との他方に設けられていることを特徴とするスイッチ装置である。
【０１０８】
請求項６に記載の発明は、請求項４または請求項５に記載のスイッチ装置において、前記ロック機構は、前記ロック部の前記係止突起部と前記係合凹部との係合が解除された際に、前記頭部を前記筒状部材に対して係脱可能に係止する補助ロック部を備えていることを特徴とするスイッチ装置である。
【０１０９】
請求項７に記載の発明は、請求項１〜請求項６のいずれかに記載のスイッチ装置において、前記頭部は、前記筒状部材の前記外端部の外周に回転可能でかつスライド可能に装着される内側頭部と、この内側頭部の外周に一体に装着されて前記内側頭部と共に回転する外側頭部と、を備えていることを特徴とするスイッチ装置である。
【０１１０】
請求項８に記載の発明は、請求項１〜請求項７のいずれかに記載されたスイッチ装置を備えていることを特徴とする時計である。
【符号の説明】
【０１１１】
１  腕時計ケース
２  本体ケース
７  時計モジュール
１６  スイッチ装置
１８  貫通孔
２０  筒状部材
２１  操作部材
２４  軸部
２５  頭部
２５ａ  外側頭部
２５ｂ  内側頭部
２８  連動部材
３０  巻真
３１  ロック機構
３２  回転規制部
３３  ロック部
３４  リング部
３５  保持片
３６  カム突起部
３７  規制溝部
３７ａ  溝部
３７ｂ  規制部
３８  係止突起部
３９  係合凹部
４０  補助ロック部
４１  係止溝
４２  係合部
【図１】
0006613739.tif 000002
【図２】
0006613739.tif 000003
【図３】
0006613739.tif 000004
【図４】
0006613739.tif 000005
【図５】
0006613739.tif 000006
【図６】
0006613739.tif 000007
【図７】
0006613739.tif 000008
【図８】
0006613739.tif 000009